(57)【特許請求の範囲】
【請求項１】
ケーブルを巻き付けるための回転リール部と固定側本体部と間に相対回転可能な複数対の電気接点を有するケーブル巻取り装置であって、
各電気接点対の一方側を回転リール部の回転軸のまわりの同一円周上に隔置すると共に、各電気接点対の他方側を前記一方側と接触可能に対応配置し、一定の回転位相位置で各電気接点対が接続するようにしたことを特徴とするケーブル巻取り装置。
【請求項２】
各電気接点対の一方側を回転リール部に、他方側を固定側本体部に設けることを特徴とする請求項１に記載のケーブル巻取り装置。
【請求項３】
前記回転リール部を一定の回転位相位置に固定可能な位置決め手段を有することを特徴とする請求項２に記載のケーブル巻取り装置。
【請求項４】
前記回転リール部が一定の回転位相位置に固定されたときにのみ、各電気接点対を接続可能とする接続制御手段を有することを特徴とする請求項２または３に記載のケーブル巻取り装置。
【請求項５】
前記接続制御手段は、複数対の電気接点を選択的に接続可能とすることを特徴とする請求項４に記載のケーブル巻取り装置。
【請求項６】
カメラ本体とカメラ部がケーブルを介して接続されたビデオカメラであって、
前記カメラ本体の適所に請求項１〜５のいずれかに記載のケーブル巻取り装置を備え、このケーブル巻取り装置に前記ケーブルが巻き取られるようにしたことを特徴とするビデオカメラ。
【請求項７】
前記ケーブルは、少なくとも電源供給ライン、制御信号ラインおよび映像信号ラインを含むことを特徴とする請求項６に記載のビデオカメラ。
【請求項８】
請求項４に記載の接続制御手段を備え、この接続制御手段によって電源供給ラインと電源供給ラインおよび制御信号ラインのうちいずれかを選択的に接続可能とすることを特徴とする請求項６または７に記載のビデオカメラ。
【発明の詳細な説明】
【０００１】
【発明の属する技術分野】
本発明は、電子機器等において、電源供給ラインあるいは制御信号や映像信号等の信号ラインを含むケーブルを巻き取るためのケーブル巻取り装置に関するものである。
【０００２】
【従来の技術】
従来より例えばビデオカメラ等の電子機器において、固定側本体部に対してリ一ル部を回転させることにより電源供給ラインや制御信号、映像信号等の信号ラインを有するケーブルを巻き取ることを可能としたケーブル巻取り装置が知られている。
【０００３】
このようなケーブル巻取り装置あるいは電子機器では、固定側本体部に対してリール部を回転させても電気的接続が行われるように回転可能な電気接点を有している。この種の従来装置では一般に、一方側にリール部の回転軸を中心とする接続ライン本数分の同心円に沿ってリング状接点が配置され、他方側に各リング状接点に対応する位置にピン状接点が設けられる。
【０００４】
図５は、従来のケーブル巻取り装置の構成例、特に回転可能な電気接点の構造の一例を示している。この図５は、リール部側の接点を回転軸と同方向から固定側本体部から見た図である。図において、２はリール部であり、回転軸Ｏのまわりに回転可能である。６ａ〜６ｊは回転軸Ｏに対して垂直な平面上にリング状に構成されたリール側接点、８ａ〜８ｊはリール側接点６ａ〜６ｊに対応して配置されたピン状の本体部側接点である。
【０００５】
図５においては、接続するラインの本数が１０本の場合を示している。図示のように１０本のリング状リール側接点６ａ〜６ｊが同心円状に配置されるため、リール部２の直径Ｄが必要となっている。また、ピン状の固定側本体部接点６ａ〜６ｊは回転軸Ｏを通る直径方向に、リール側接点６ａ〜６ｊにそれぞれ対応するように配置されている。この場合、１つの接点幅の短縮と全体に加わる接点圧の平均化を図るため、１ラインおきに上下に分けて配置されている。かかる構成により、ケーブルを巻き取るためにリール部を回転させても、電気的接続が損なわれることがないようにしている。
【０００６】
【発明が解決しようとする課題】
しかしながら上記従来例では、接続するラインの本数が増えるに従って接点部の直径Ｄが増大するという問題がある。このため多数ラインを含むケーブルを巻き取ることを可能とする小型のケーブル巻取り装置を実現するのは実質的に困難であった。また、多数ラインの接続を行う場合接点部の直径Ｄが増大し、リール側接点の平面性が固定側本体部接点の接触圧により崩れ易くなる。結果的には接点の接触不良が起き易くなるという問題がある。
【０００７】
さらに上記従来例では、ケーブル内に含まれるラインの種類は、映像信号やマイコンヘの制御信号等、微少で高速な信号ラインである。このようなラインの場合、ラインに送電中にリール部を回転させると接点部に発生する所謂チャタリング現象により信号が破壊され、ノイズや制御不能等の問題が発生する。
【０００８】
本発明はかかる実情に鑑み、ケーブルの多ライン化に有効に対応可能で、小型で適正作動を保証するケーブル巻取り装置を提供することを目的とする。
【０００９】
【課題を解決するための手段】
本発明のケーブル巻取り装置は、ケーブルを巻き付けるための回転リール部と固定側本体部と間に相対回転可能な複数対の電気接点を有するケーブル巻取り装置にあって、各電気接点対の一方側を回転リール部の回転軸のまわりの同一円周上に隔置すると共に、各電気接点対の他方側を前記一方側と接触可能に対応配置し、一定の回転位相位置で各電気接点対が接続するようにしたものである。
【００１０】
また、本発明のケーブル巻取り装置において、各電気接点対の一方側を回転リール部に、他方側を固定側本体部に設けることを特徴とする。
また、本発明のケーブル巻取り装置において、前記回転リール部を一定の回転位相位置に固定可能な位置決め手段を有することを特徴とする。
また、本発明のケーブル巻取り装置において、前記回転リール部が一定の回転位相位置に固定されたときにのみ、各電気接点対を接続可能とする接続制御手段を有することを特徴とする。
また、本発明のケーブル巻取り装置において、前記接続制御手段は、複数対の電気接点を選択的に接続可能とすることを特徴とする。
【００１１】
あるいはまた、本発明のビデオカメラは、カメラ本体とカメラ部がケーブルを介して接続されたビデオカメラであって、前記カメラ本体の適所に請求項１〜５のいずれかに記載のケーブル巻取り装置を備え、このケーブル巻取り装置に前記ケーブルが巻き取られるようにしたものである。
また、本発明のビデオカメラにおいて、前記ケーブルは、少なくとも電源供給ライン、制御信号ラインおよび映像信号ラインを含むことを特徴とする。
また、本発明のビデオカメラにおいて、前記接続制御手段を備え、この接続制御手段によって電源供給ラインと電源供給ラインおよび制御信号ラインのうちいずれかを選択的に接続可能とすることを特徴とする。
【００１２】
本発明によれば、ケーブルのライン本数が多数の場合であっても接点部の直径を大きくすることなく、接点部の均一接触を可能とした小型のケーブル巻取り装置を実現することができる。これにより小型でありながら、安定した電気的接続を図ることができる。
また、本発明によれば、ケーブルへの送電中に仮に誤操作によってケーブルの巻取り、または引出しを行い、リール部を回転させた場合でも、間違った接点が接続されることはない。つまり常に装置の適正作動を保証することができる。
また、本発明によれば、電源および信号ラインが混在した場合でも有効に小型のケーブル巻取り装置を実現することができる。
また、本発明によれば、接続するラインのうちの必要な一部のラインにのみ接続手段を設けることにより、安価な装置を実現することができる。
【００１３】
【発明の実施の形態】
以下、図１〜図４に基づき、本発明によるケーブル巻取り装置の好適な実施の形態を説明する。
図１はこの実施形態におけるケーブル巻取り装置の側断面図、図２はケーブル巻取り装置のリール部を外した状態の固定側本体部をリール回転軸と同方向からリール部側より見た図、図３はケーブル巻取り装置の固定側本体部から外した状態のリール部をリール回転軸と同方向から固定側本体部側より見た図である。
【００１４】
それぞれの図において、１は固定側本体部、２はリール部、３は電源や信号ライン等の複数ラインを含むケーブル、４はリール回転軸の抜止め部材、５はケーブル３の抜止め部材、６はリール側接点、７はリール側接点６を保持する基板、８は本体部側接点、９は本体部側接点８の接点台である。１０は接点バネ、１１は接点基板、１２は本体部１の電気回路に接続されるリード線、１３はリール部２のロック部材、１４はロックバネ、１５はロック部材１３の回転軸、１６はロック検出スイッチ、１７はロック検出スイッチ１６のリード線である。
【００１５】
図１において、本体部１の図示しない電気回路から供給される電源や制御信号等の電流は、リード線１２を通って接点基板１１上のパターン部１１ａに供給される。パターン部１１ａ上からは、本体部側接点８を弾性付勢するように取り付けられた導電性の接点バネ１０を介して、本体部側接点８に電流が供給される。本体部側接点８は、リール側接点６に対して適切な接触圧を保つように接点バネ１０によって付勢されているため、本体部側接点８に供給される電流は何ら接触抵抗によるロスを受けることなく、リール側接点６に伝えられる。
【００１６】
リール側接点６には、ケーブル３内の個々のラインごとの内線３ａが接続されている。結果的には本体部１の電気回路から供給される電流をケーブル３を介して、ケーブル３の先に取り付けられた機器にロスなく伝えることができる。
【００１７】
ところで、ケーブル３はリール部２に何重にも巻かれた状態にあり、またリール部２の軸部２ａは固定側本体部１の軸受部１ａに回転軸Ｏを中心として回転自在に嵌合している。このためリール部２の取手部２ｄを使ってリール部２を回転させることにより、自由にケーブル３の巻取り、引出しを行うことができる。
また、ケーブル３は、リール部２に何重にも巻かれた最内周でリール部２の孔部２ｂを通してリール部２の内側に引き込まれている。リール部２の内側ではケーブル３に抜止め部材５が固定されているため、ケーブル３を引き出しきってもリール部２から抜けることはない。
【００１８】
リール部２の外周部には、ロック部材１３の爪部１３ａが入り込むことができるロック溝２ｃが１８０°対向した位置に２箇所設けてある。ロック部材１３はロックバネ１４によって絶えずリール部２の外周部に対して押しつけられた状態にある。リール側接点６が本体部側接点８に対応して予め決められた位置に来たときにのみ、ロック部材１３がロック溝２ｃに係合する。この実施形態においては１８０°対向した２箇所のロック溝２ｃが回って来たとき、つまり半周ごとの位相関係のときにリール側接点６が本体部側接点８に対応する位置に来る構成となっている。
【００１９】
また、ロック部材１３の爪部１３ａがロック溝２ｃに係合していない状態では、ロック部材１３はその回転軸１５を中心として持ち上がったかたちとなる。逆にロック部材１３の突起部１３ｃは下がった状態となって、ロック検出スイッチ１６の操作部１６ａを押し下げるため、バネ性を持ったロック検出スイッチ１６の可動接片１６ｂは下側に撓んだ状態となる。このとき、可動接片１６ｂ上の接点１６ｄは固定接片１６ｃ側の接点１６ｅから離れるため、本体部１の電気回路に繋がっている２つのリード線１７の接続を絶つ。これが本体部１の電気回路に知らされることによって、リール部２がロック状態であるかどうか、つまりリール側接点６が本体部側接点８に対応する位置にあるかどうかを検出することができる。
【００２０】
本体部１の電気回路はリール側接点６が本体部側接点８に対応する位置にあるときのみ、リード線１２に電源供給や制御信号を与えるためリール側接点６が対応しない本体部側接点８と接触することによる不具合が発生することはない。
【００２１】
このようにリール部２は半回転ごとの位置でロックされ、このロック時のみ、ケーブル３の先に取り付けられた機器が使用可能な状態となる。リール部２の径がそれほど大きくない場合であれば、引き出したケーブル３の長さにかなりの自由度を与えることができる。また、細かな長さの設定が必要な場合には、ロックされる位相関係を９０°ごと、あるいは６０°ごと等に細かくすることによってケーブル３の長さの細かな設定が可能である。
【００２２】
本実施形態では、ケーブル３の先に取り付けられた機器を動作させたままでケーブル３の巻取り、引出しは不可能である。前述のように特に微少で高速な信号を扱う場合、機器を動作させたままでのケーブルの巻取り、引出しは接点部のチャタリングのために極めて危険である。従って、機器の動作時のケーブルロックは必須のものとなる。
【００２３】
つぎに図２によって、回転軸Ｏに垂直な方向の本体部側接点８の配置を説明する。
回転軸Ｏの同一円周上に１０個のピン状の本体部側接点８ａ〜８ｊが配置されている。これらの本体部側接点８は、上下間でちょうど１８０°ずれた位置で、かつｌ本ずつ交互に配置されている。このように配置することで隣接する接点同士の間隔を十分にとることができ、かつ対応するリール側接点６に対して接触圧として生じる荷重を平均的に分散して与えることができる。これにより安定した接触抵抗を保つことができる。
【００２４】
また、図２において上側に配置された本体部側接点８の上方には、ロック部材１３の爪部１３ａが飛び出した状態となっている。
【００２５】
つぎに図３によって、回転軸Ｏの垂直な方向のリール側接点６の配置を説明する。
回転軸Ｏの同一円周上に１０個の扇型のリール側接点６ａ〜６ｊが配置されている。これらのリール側接点６は、上下間でちょうど１８０°対向した位置に、１０個ずつ一定の間隔で並んでいる。上下に１８０°対向した６ａ1 と６ａ2 、６ｂ1 と６ｂ2 、・・・・６ｊ1 と６ｊ2 は、まったく同一に接続されている。それぞれのリール側接点６に対応する本体部側接点８が、一点鎖線により８ａ〜８ｊで示されている。
【００２６】
このようにリール側接点６と本体部側接点８とが、１ピンおきに接触するかたちとなっている。また、リール側接点６が本体部側接点８に対応する予め決められた位置に来たときにのみ、リール部２のロック溝２ｃにロック部材１３の爪部１３ａが係合する。この状態は、リール部２が１８０°回転した場合でもまったく同一となる。
【００２７】
さて、この場合に必要となる接点部の径はＤ１となる。これは、従来例に示した必要な径Ｄに比べて遥かに小さく、小型のケーブル巻取り装置を実現可能としている。また、この実施形態においては、１つの円周上に全ての接点を配置したが、より多ラインの接続が必要な場合は、径の異なる２重、３重の同心円周上に接点を配置することにより、接点部の径を大きくすることなく回転部接点を構成することができる。
【００２８】
つぎに、図４を用いて本発明の実施形態に係るケーブル巻取り装置の電気的回路構成を説明する。この例は、ケーブル巻取り装置を組み込んだ一体型ビデオカメラの例とする。
図４は本発明のケーブル巻取り装置を組み込んだ一体型ビデオカメラの電気的回路構成を示すブロック図である。図において、１は固定側本体部、２はリール部、３はケーブル、６はリール側接点、８は本体部側接点、そして１６はロック検出スイッチを示している。
【００２９】
１００はケーブル３の先に取り付けられた機器であるカメラ部、１０１は被写体からの光束を結像させるズームレンズ、１０２はズームレンズ１０１によって結像された光束を光電変換する撮像素子、１０３は撮像素子１０２からの信号をガンマ補正、色分離および色差マトリクス等の処理を施した後、同期信号を加えて標準テレビジョン信号を生成するカメラ信号処理回路、１０４は本体部１の電気回路からの制御信号でズームレンズの焦点距離の可変制御を行い、あるいはカメラ信号処理回路１０３からの信号でＡＦ制御や絞り制御を行うカメラマイコンである。
【００３０】
１０５はズームレンズ１０１のうちのピント調節を行うフォーカスレンズ群を移動させるフォーカスモータ１０８を駆動するためのモータドライバ、１０６はズームレンズ１０１のうちの絞りを動かす絞りアクチュエータ１０９を駆動するためのＩＧドライバ、１０７はズームレンズ１０１のうちの変倍を行うレンズ群を移動させるズームモータ１１０を駆動するためのモータドライバである。
【００３１】
また、１１１はカメラ信号処理回路１０３からの映像信号を記録するレコーダ回路、１１２はレコーダ回路１１１を制御し、カメラマイコン１０４との通信、制御を行う本体マイコン、１１３はカメラマイコン１０４と本体マイコン１１２間の通信の接続制御や電源供給制御を行う接続制御回路、１１４はカメラ信号処理回路１０３、カメラマイコン１０４、レコーダ回路１１１および本体マイコン１１２等に電源を供給する電源回路、１１５はズームスイッチ等の操作スイッチである。
【００３２】
上記構成によるビデオカメラにおいて、操作スイッチ１１５に入力された例えばズーム動作等の命令は、本体マイコン１１２で制御信号に変えられ接続制御回路１１３に送られる。接続制御回路１１３では、リール側接点６が本体部側接点８に対応する位置にあるときにのみロック検出スイッチ１６がＯＮとなり、本体マイコン１１２からの制御信号を本体部側接点８を通してカメラマイコン１０４に伝え、最終的にズームモータ１１０がズーム動作を行う。
【００３３】
このとき仮に、リール側接点６が本体部側接点８に対応する位置になければ、ロック検出スイッチ１６はＯＦＦとなって接続制御回路１１３が制御信号を伝えないよう制御し、ズームモータ１１０はズーム動作をしない。これにより通信不良による本体マイコン１１２の停止あるいは破壊等の事故を防止することができる。
【００３４】
また、リール側接点６が本体部側接点８に対応する位置にないときは、接続制御回路１１３はカメラ信号処理回路１０３、カメラマイコン１０４等に対する電源供給も停止するため、一時的にカメラ部１００は動作停止する。リール側接点６が本体部側接点８に対応する位置に戻った後、なんら問題なく動作を再会することができる。
【００３５】
ここで、本体部側接点８に接続されるラインのうち映像信号は、電源供給が停止されれば自動的に送られてこないため、特に接続制御は行っていない。このように、特定の接続ラインのみの接続制御を行うだけで本発明に係るケーブル巻取り装置を組み込んだ機器を問題なく動作させることができる。また、微少で高速な信号を扱う場合でも、安定した接続動作を行うケーブル巻取り装置を提供することができる。
【００３６】
なお、上記実施形態において、リール部の固定手段として、ロック部材、バネとロック溝によるロック機構を例に上げて説明を行ってきた。固定手段として、一定の荷重までは固定され、その荷重を超えると回転が可能になるような所謂、クリック機構やラチェット機構とロック機構を併用したものであっても、同様に小型で安定した接続動作を行うことのできるケーブル巻取り装置を提供することができる。この場合においても本発明の主旨はなんら変わることはない。
【００３７】
また、上記実施形態において、接点６（同心状）と接点８（ピン状）の配置関係は、リール側と本体部側とで逆の関係で設けてもよい。
【００３８】
【発明の効果】
以上説明したように本発明によれば、この種のケーブル巻取り装置において多数のラインを含むケーブルの適正かつ安定した電気的接続を図り、このケーブルを介して接続される機器類の適正作動を保証する。この場合ケーブル巻取り装置を小型化することで、使用性に優れ取扱も極めて容易である。また、装置構造を実質的に複雑化することがないため、コスト的にも極めて有利である等の利点を有している。
【図面の簡単な説明】
【図１】本発明の実施形態におけるケーブル巻取り装置の側断面図である。
【図２】本発明の実施形態におけるリール部を外した状態の固定側本体部をリール回転軸と同方向からリール部側より見た図である。
【図３】本発明の実施形態における固定側本体部から外した状態のリール部をリール回転軸と同方向から固定側本体部側より見た図である。
【図４】本発明の実施形態におけるケーブル巻取り装置を組み込んだ一体型ビデオカメラの電気的回路構成を示すブロック図である。
【図５】従来のケーブル巻取り装置における回転可能な電気接点の構造の一例を示す図である。
【符号の説明】
１    固定側本体部
２    リール部
３    ケーブル
４    回転軸の抜止め部材
５    ケープルの抜止め部材
６    リール側接点
７    リール側接点保持基板
８    本体部側接点
９    接点台
１０    接点バネ
１１    接点基板
１２    リード線
１３    ロック部材
１４    ロックバネ
１５    ロック部材回転軸
１６    ロック検出スイッチ
１７    リード線
１００    カメラ部
１０１    ズームレンズ
１０２    撮像素子
１０３    カメラ信号処理回路
１０４    カメラマイコン
１０５    モータドライバ
１０６    ＩＧドライバ
１０７    モータドライバ
１０８    フォーカスモータ
１０９    絞りアクチュエータ
１１０    ズームモータ
１１１    レコーダ回路
１１２    本体マイコン
１１３    接続制御回路
１１４    電源回路
１１５    操作スイッチ
【図１】
0003792828.tif 000002
【図２】
0003792828.tif 000003
【図３】
0003792828.tif 000004
【図４】
0003792828.tif 000005
【図５】
0003792828.tif 000006